(57)【要約】      （修正有）【課題】ワイヤソーの支柱設置条件を簡素化し、装置そのものも小型化することで設置作業も簡素化し、設置にかかる時間を削減することで生産性を向上し、軽量で取り扱いのよいワイヤソー切削方向変換装置を提供する。【解決手段】ワイヤソー切削方向変換装置は、ブラケットにプーリー支持枠により所定の距離を隔てて上下一対に取り付けられたプーリーが回動軸を中心に自在可動し、ワイヤを掛ける上下のプーリーの端面がプーリーの位置角度にかかわらず、前記回動軸の軸心と一直線上に位置することを主要な特徴とする。【選択図】図１
0003142767.tif 000002
【実用新案登録請求の範囲】
【請求項１】
支柱に取り付けられたプーリーを利用したワイヤソーであって、支柱に取り付けられるブラケットのプーリー支持部にプーリー支持枠により所定の距離を隔てて上下一対に取り付けられたプーリーが回動軸を中心に自在可動し、ワイヤを掛けるプーリーの端面がプーリーの角度変化にかかわらず、前記回動軸の軸心と一直線上に位置することを特徴としたワイヤソー切削方向変換装置。
【請求項２】
プーリーを片側の支持枠のみで支持する構造を持つことを特徴とする、請求項１記載のワイヤソー切削方向変換装置。
【請求項３】
上下一対のプーリーが取り付けられるブラケットが、上下のプーリーを分離するように分割されることを特徴とする請求項１または２記載のワイヤソー切削方向変換装置。
【請求項４】
支柱を円柱としブラケットの支柱への固定にＵボルトを使用することで、支柱の水平方向への回動が可能であること特徴とした請求項１から3いずれか一項に記載のワイヤソー切削方向変換装置。
【請求項５】
ブラケットの支柱への脱着が可能であること特徴とした請求項１から3いずれか一項に記載のワイヤソー切削方向変換装置。
【請求項６】
支柱の下側に穴を開け、支柱支持枠へポールで取り付けることを特徴とした請求項１から3いずれか一項に記載のワイヤソー切削方向変換装置。
【考案の詳細な説明】
【技術分野】
【０００１】
本発明は石材採掘現場及び建設物解体現場において切削物の切削に使用されるワイヤソー切削方向変換装置及びそれを使用した地山石材またはコンクリート切削方法に関する。
【背景技術】
【０００２】
昨今の石材採掘現場の機械化に伴い、地山そのものを切削するワイヤソーが普及し、また改良も加えられている。
これまでのワイヤソーは、ワイヤ駆動装置を切削方向に対して同一線上に後退しながら切削作業を行うことが主流であり、この駆動装置が移動する空間を、切削方向に対して後方に必要とするため、狭い現場での作業は困難な場合があったが、出願人はこれを解決する手段として、駆動装置の設置場所を変えることができる切削方向変換装置を特許出願し登録されている。
【０００３】
これは従来、駆動装置を一方向へしか移動できなかったものを、ワイヤを支持するプーリーの一部を固定型から角度を自由に変更できる自在型とすることで、駆動装置を空間のあるところへ設置できるようにしたものである。これにより狭い現場での切削作業が可能となった。図１１は従来の切削方法の斜視図である。
【０００４】
しかしながら、現場における作業性や汎用性を高めるためには、いくつかの課題がある。ワイヤを繰り出すために、支柱にワイヤを支持するプーリーが取り付けられるが、このプーリーが固定されているため、石材等の切削物に対して垂直に設置する必要がある。従って別な部位を切削する場合には、その支柱の位置を変え再度位置決め作業をする必要があり、支柱を含めた装置そのものも大型であるため、設置の際に重機を必要とし、設置作業にも時間と労力を必要とするものであった。駆動装置の設置位置にはかなりの自由度があったが、支柱の設置には限定される条件が多いのが実情であった。
【特許文献１】特許第２１１９８８９号
【考案の開示】
【考案が解決しようとする課題】
【０００５】
解決しようとする課題はワイヤソーの支柱設置作業時の設置条件を簡素化し、装置を小型化することで設置作業も簡素化し、設置にかかる時間を削減することで生産性を向上し、軽量で取り扱いのよいワイヤソー切削方向変換装置及び地山石材等の切削方法、装置を組み合わせて使用することで、様々な切削物の切削を可能とするものである。
【課題を解決するための手段】
【０００６】
本発明のワイヤソー切削方向変換装置は、ブラケットにプーリー支持枠により所定の距離を隔てて上下一対に取り付けられたプーリーが回動軸を中心に自在可動し、ワイヤを掛けるプーリーの端面がプーリーの角度が変わっても、前記回動軸の軸心と一直線上に位置することを主要な特徴とする。また、プーリーを支持する支持枠を、片面だけにすることで、ワイヤ掛け作業の効率が向上する。
【０００７】
上下一対のプーリーを取り付けるブラケットを上下のプーリーを分離するようにブラケットを分割した構造をとることで、プーリーを単独で使用することができ、切削方法の様々な用途に応用が可能とする。
【０００８】
ブラケットは支柱に取り付け固定されるが、支柱を円柱とすることでブラケットの取り付け位置も、垂直方向のみならず水平方向にも自在に取り付けることを可能とする。このブラケットはワイヤ繰り出し側と引き込み側の２つを一対として使用することが望ましい。
【０００９】
支柱は長さを自由に決められるが、ブラケットの取り付け個数等を考慮し支障がない程度の長さにすることを可能とし、装置全体として小型化する。ブラケットは脱着可能とし、組み立て式の装置とすることも可能とする。
【考案の効果】
【００１０】
ブラケットに取り付けられた一対のプーリーが自在に回動するため、プーリーを通過する切削ワイヤは切削物及び駆動装置の方向へ変換が可能となり、支柱設置時の位置決め作業が不要となる。更に、プーリー支持枠を片側からの固定にすることで、ワイヤ掛け作業の効率が向上できる。
【００１１】
支柱に対してブラケットの取り付け位置も垂直及び水平方向自在であるため、切削物及び駆動装置の方向に応じて必要により位置調整が可能となる。
【００１２】
支柱の長さも自由度があり小型化が図れ、ブラケットが脱着可能であり組み立て式にすることができ、装置として取り扱い性が向上し、重機も不要となる。
ブラケットを上下一対のプーリーを分離するように分割した構造とすることで、プーリーを単独で利用することができ、切削方法の様々な用途に応用できる。
【００１３】
ワイヤによる切削であるため、火薬や重機を使ったものに比べ、非常に静かで近隣への騒音被害を最小限に押さえることができる。
【考案を実施するための最良の形態】
【００１４】
詳細について実施例をもとに説明する。
【実施例１】
【００１５】
図１はブラケットに取り付けられた、プーリー支持枠とプーリー支持枠に取り付けられたプーリーを示す。上下一対のプーリーはブラケットの上下に設けられたプーリー支持部に、ベアリングを介して一定の距離を隔てプーリー支持枠により取り付けられる。この際に回動軸の軸心とワイヤを掛けるプーリーの端面がプーリーの角度が回動軸を中心に変化しても、前記回動軸の軸心と一直線上に位置するようにブラケットへ取り付ける。
【００１６】
プーリー支持枠は、作業効率を考慮すると片面のみの構造が好ましいが、この場合ワイヤが外れ易くなるため、外れ防止のためのカバー等を取り付けるとよい。当然ながら図５に示すように、プーリーを両側から挟みこむ構造でもよい。
図２は上のプーリーが下のプーリーに対して９０度の角度で回動した時を示し、図３は下のプーリーが上のプーリーに対して９０度の角度で回動した時を示す。
【００１７】
図４はブラケットを支柱へ取り付けた一例の斜視図。図７は支柱へ取り付けた状態のブラケットの平面図。支柱へのブラケットの取り付けは、Ｕボルトを使用し固定する。これにより支柱の回り３６０度自由に取り付けが可能となる。
【００１８】
支柱の上下端には固定用金物を固着し、引張り用の支線で固定したり、アンカーボルトにより支柱を固定する。
【００１９】
図９は切削方法の一例の斜視図。切削物に対するワイヤの方向、駆動装置の移動方向が変更可能な様子を示す。
【実施例２】
【００２０】
図８は支柱の下方部であってポールの略中心部に穴を開け、支柱支持枠へポールで取り付けた状態の一例の斜視図。この構造をとることで、支柱を傾けて使用することも可能となる。
【実施例３】
【００２１】
図６はブラケットを分割した構造の側面図。上下一対のプーリーを分離して単独で使用または複数個組合せ利用できる。図１０は法面に現れた石を切削する場合の切削方法の一例の斜視図。石の両側にレールを敷き、そのレール上を移動する台車に前述の単独プーリーを取り付ける。
石の下方部には、本発明のワイヤソー切削変換装置と支柱に単独プーリーを固定し、ワイヤを経路後駆動装置により、ワイヤソーを稼動し切削する。
【００２２】
従来、道路工事現場での法面に現れた石を除外するためには、火薬による爆破、油圧ブレーカーによる粉砕等で行っているが、道路上に小石が飛ぶ等の不具合により、一時工事が停止するなど、繊細な管理が必要とされている。本実施例３の方法によれば、小石が飛び散る心配もなく、火薬やビッカーのように爆音を響かすこともなく、実に静寂な切削作業を行うことが可能となる。
【産業上の利用可能性】
【００２３】
地山石材の切削だけでなく、建築物のコンクリート等の切削において、狭い現場の切削に利用でき、ブラケットに取り付けられた自在プーリーによりワイヤの方向を変換するだけであるから、あらゆるワイヤソーに使用可能である。
【図面の簡単な説明】
【００２４】
【図１】ブラケットに取り付けられた、プーリー支持枠とプーリーの側面図
【図２】ブラケットに取り付けられた、上のプーリーを９０度回動した状態の側面図
【図３】ブラケットに取り付けられた、下のプーリーを９０度回動した状態の側面図
【図４】ブラケットを支柱へ取り付けた一例の斜視図
【図５】プーリーの両面からプーリーを支持する構造を示す側面図
【図６】ブラケットを分割構造とした場合の側面図
【図７】支柱へ取り付けた状態のブラケットの平面図
【図８】支柱の下側に穴を開け支柱支持枠へポールで取り付けた状態の一例の正面図
【図９】切削方法の一例の斜視図
【図１０】法面に現れた石を切削する場合の切削方法の一例の斜視図
【図１１】従来の切削方法の斜視図
【符号の説明】
【００２５】
１  ブラケット        ２  プーリー支持枠      ３  プーリー     ４  回動軸の軸心
５  プーリー支持部    ６  ベアリング          ７  支柱         ８  Ｕボルト
９  ナット          １０  コの字枠          １１  ワイヤ     １２  駆動装置
１３  レール        １４  支線              １５  切削物     １６  支柱支持枠
１７  ポール        １８  土台              １９  法面
【図１】
0003142767.tif 000003
【図２】
0003142767.tif 000004
【図３】
0003142767.tif 000005
【図４】
0003142767.tif 000006
【図５】
0003142767.tif 000007
【図６】
0003142767.tif 000008
【図７】
0003142767.tif 000009
【図８】
0003142767.tif 000010
【図９】
0003142767.tif 000011
【図１０】
0003142767.tif 000012
【図１１】
0003142767.tif 000013